(57)【要約】【課題】照明装置の構造を工夫することにより、落下などの衝撃が加わった場合に電気光学パネル等に割れ等が生じることを抑制する。【解決手段】照明装置は、保持部材と、その上に重ねて配置された導光板を備える。導光板は、光源から発せられた光を導入するための入光部を有する。導光板の入光部側及び保持部材には相互に係り合う係合部が設けられる。その両者の係合部は、導光板の入光部側において係合している。これにより、導光板の入光部側と、導光板の入光部側に位置する保持部材の部分との一体性が増し、それらの結合力の向上が図れる。よって、この照明装置を適用した電気光学装置に対し衝撃が加わった場合には、導光板の入光部側と当該保持部材の部分とを同一の方向に一体的に移動させることができる。その結果、電気光学パネルの第１の基板と導光板とが衝突し合うのを抑制でき、第１の基板に対して割れ、ひび、欠け等が生じるのを抑制できる。【選択図】図５
2009193678.tif 000002
【特許請求の範囲】
【請求項１】
保持部材と、
前記保持部材の上に重ねて配置され、光源より発光された光を導入するための入光部を有する導光板と、を備え、
前記導光板と前記保持部材との各々は、少なくとも前記導光板の前記入光部側で固定されていることを特徴とする照明装置。
【請求項２】
前記導光板の前記入光部側と前記保持部材との前記導光板の前記入光部側に対応する箇所の各々には相互に係り合う少なくとも一つの係合部が設けられ、
前記導光板の前記係合部と前記保持部材の前記係合部とは、前記導光板の前記入光部側において係着していることを特徴とする請求項１に記載の照明装置。
【請求項３】
前記導光板の前記係合部と前記保持部材の前記係合部との各々は、前記導光板の厚さ方向における前記導光板の移動を規制する形状を有することを特徴とする請求項２に記載の照明装置。
【請求項４】
前記導光板の前記係合部は段差形状を有すると共に、前記保持部材の前記係合部は前記段差形状と係着する鉤形状を有することを特徴とする請求項３に記載の照明装置。
【請求項５】
前記導光板の前記係合部と前記保持部材の前記係合部とは、前記導光板の前記入光部側の辺と前記導光板の前記入光部側の辺以外の少なくとも１辺において係着していることを特徴とする請求項２乃至４のいずれか一項に記載の照明装置。
【請求項６】
前記導光板の前記入光部に対面する位置には少なくとも１つの光源が配置されており、
前記導光板の前記係合部と前記保持部材の前記係合部との各々は、前記少なくとも１つの光源より出射される光の出射範囲外に設けられていることを特徴とする請求項２乃至５のいずれか一項に記載の照明装置。
【請求項７】
前記保持部材の前記係合部の近傍には開口が形成されており、
前記導光板の前記係合部の一部は前記保持部材の前記開口に入り込んでおり、
相互に係り合う前記導光板の前記係合部及び前記保持部材の前記係合部における厚さは、前記導光板の厚さと前記保持部材の厚さとを合わせた厚さと略同一であることを特徴とする請求項２乃至６のいずれか一項に記載の照明装置。
【請求項８】
請求項１乃至７のいずれか一項に記載の照明装置と、前記照明装置と対面する位置に配置された電気光学パネルと、を備え、
前記導光板は前記電気光学パネルに取り付けられていることを特徴とする電気光学装置。
【請求項９】
前記電気光学パネルは一対の基板間に電気光学物質を挟持してなり、
前記一対の基板のうち一方の基板は、他方の基板の一端から外側に張り出しており、
前記導光板の前記係合部と前記保持部材の前記係合部との各々は、前記一方の基板と前記他方の基板との境界部分と重なる領域に配置されていることを特徴とする請求項８に記載の電気光学装置。
【請求項１０】
前記電気光学パネルは一対の基板間に電気光学物質を挟持してなり、
前記一対の基板のうち一方の基板は、他方の基板の一端から外側に張り出す張り出し領域を有すると共に、前記張り出し領域の上には、前記電気光学物質を駆動する駆動回路が実装されており、
前記導光板の前記係合部と前記保持部材の前記係合部との各々は、前記駆動回路と重なる領域に配置されていることを特徴とする請求項８に記載の電気光学装置。
【請求項１１】
請求項８乃至１０のいずれか一項に記載の電気光学装置を表示部として備えることを特徴とする電子機器。
【発明の詳細な説明】
【技術分野】
【０００１】
本発明は、電気光学装置に好適に用いられる照明装置に関する。
【背景技術】
【０００２】
従来より、携帯電話機、携帯情報端末機等といった各種の電子機器において、画像情報を表示するために電気光学装置が用いられている。
【０００３】
このような電気光学装置では、いわゆる透過型表示を行う為に、その観察側と逆側の背面側に照明装置が配置される（例えば、特許文献１乃至３を参照）。
【０００４】
【特許文献１】特開２００７−４２３３８号公報
【特許文献２】特開２００３−２５５３０９号公報
【特許文献３】ＷＯ２００４／０５５４３０号公報
【発明の開示】
【発明が解決しようとする課題】
【０００５】
上記した特許文献１に記載の電気光学装置では、枠形状の蓋板を箱形状の金枠に取り付けることにより、矩形状の平面形状を有する導光板が金枠に固定される。しかし、この電気光学装置では、蓋板の枠部分の幅が短いので、蓋板及び金枠に対する導光板の結合力はそれ程強いとは言えない。
【０００６】
そのため、この電気光学装置に対し落下などによる衝撃が加わった場合、電気光学パネルが導光板に押されて撓み、これにより電気光学パネルに対し撓ませるような曲げ応力が作用して、或いは導光板と電気光学パネルとが相互に衝突し合うことにより、電気光学パネルを構成する下側基板に対して割れ、ひび、欠け等が生じてしまうといった課題がある。
【０００７】
また、上記の特許文献２に記載の光学ユニット（以下、便宜上「照明装置」と呼ぶ）は、対向する辺の２箇所に固定用凸部が設けられた矩形状の導光板と、固定用凸部と嵌合する固定用凹部の設けられたモールドフレームと、を備えており、固定用凸部及び固定用凹部が嵌合するようにモールドフレームに導光板を収容することで、導光板がモールドフレームに固定される。そして、導光板とモールドフレームとの対向する辺の間であって、固定用凸部及び固定用凹部の存在しない位置には光源が配置されている。
【０００８】
また、上記の特許文献３に記載のライトユニット（以下、便宜上「照明装置」と呼ぶ）では、矩形の導光板の入光面及び反入光面を除く各側面に凸部が形成され、この凸部がフレームの凹部に嵌り込むことによって、導光板がフレームに固定されている。
【０００９】
これらの特許文献２及び３に記載の照明装置では、いずれも導光板の入光面（入光部）側において、導光板の凸部（又は固定用凸部）と、フレームの凹部（又はモールドフレームの固定用凹部）とが嵌合していない。このため、これらの照明装置に対して、落下などの衝撃が加わった場合には、導光板の入光部側と、その入光部側に位置するフレーム又はモールドフレームの箇所とが相反する方向に撓んでしまい、上記した特許文献１と同様の課題が生じ得る。
【００１０】
本発明は、以上の点に鑑みてなされたものであり、導光板の入光部側における、導光板とそれを保持する保持部材との一体性を高めることで、落下などの衝撃が加わった場合に、電気光学パネル等の割れ等を抑制することが可能な照明装置及びそれを用いた電気光学装置並びに電子機器を提供することを課題とする。
【課題を解決するための手段】
【００１１】
本発明の１つの観点では、照明装置は、保持部材と、前記保持部材の上に重ねて配置され、光源より発光された光を導入するための入光部を有する導光板と、を備え、前記導光板と前記保持部材との各々は、少なくとも前記導光板の前記入光部側で固定されている。
【００１２】
上記の照明装置は、保持部材と、保持部材の上に重ねて配置された導光板とを備える。導光板は光源より発光された光を導入するための入光部を有する。そして、導光板と保持部材との各々は、少なくとも導光板の入光部側で固定されている。これにより、少なくとも導光板の入光部側において、導光板と保持部材との結合力の向上を図ることができる。よって、この照明装置に対し落下などによる衝撃が加わった場合に、少なくとも導光板の入光部側において、導光板と保持部材とを同一の方向に一体的に移動させることができる。
【００１３】
上記の照明装置の一つの態様では、前記導光板の前記入光部側と前記保持部材との前記導光板の前記入光部側に対応する箇所の各々には相互に係り合う少なくとも一つの係合部が設けられ、前記導光板の前記係合部と前記フレームの前記係合部とは、前記導光板の前記入光部側において係着している。
【００１４】
上記の照明装置は、導光板の入光部側と保持部材との導光板の入光部側に対応する箇所の各々には相互に係り合う少なくとも一つの係合部（例えば嵌り合う少なくとも１つの嵌合部）が設けられる。導光板の係合部と保持部材の係合部とは、導光板の入光部側において係着、係合又は嵌合している。これにより、導光板の入光部側と、導光板の入光部側に対応する保持部材の箇所との一体性が増し、それらの結合力の向上を図ることができる。よって、この照明装置に対し落下などによる衝撃が加わった場合に、導光板の入光部側と当該保持部材の箇所とを同一の方向に一体的に移動させることができる。
【００１５】
好適な例では、かかる照明装置を、ガラス素材などにより形成された一対の基板間に電気光学物質を挟持してなる電気光学パネルを備える電気光学装置に適用することができる。この場合、一対の基板のうち一方の基板側に照明装置が配置される。これにより、この電気光学装置に対し落下などによる衝撃が加わった場合、導光板の入光部側と当該保持部材の箇所とを同一の方向に一体的に移動させることができる。その結果、一方の基板と導光板とが衝突し合うことを抑制することができるので、一方の基板に対して割れ、ひび、欠けなどが生じることを抑制できる。
【００１６】
上記の照明装置の他の態様では、前記導光板の前記係合部と前記保持部材の前記係合部との各々は、前記導光板の厚さ方向における前記導光板の移動を規制する形状を有する。
好適な例では、前記導光板の前記係合部は段差形状を有すると共に、前記保持部材の前記係合部は前記段差形状と係着又は係合する鉤形状又は爪形状を有する。これにより、この照明装置に対し落下などによる衝撃が加わった場合に、導光板の入光部側と、導光板の入光部側に対応するする保持部材の箇所とが同一の方向に一体的に移動する際の移動量を小さくすることができる。よって、かかる照明装置を上記の電気光学装置に適用すれば、一方の基板に対して撓ませるような応力が作用し難くなり、一方の基板に対して割れ、ひび、欠けなどが生じることを抑制できる。
【００１７】
上記の照明装置の他の態様では、前記導光板の前記係合部と前記保持部材の前記係合部とは、前記導光板の前記入光部側の辺と前記導光板の前記入光部側の辺以外の少なくとも１辺において係着、係合又は嵌合している。これにより、導光板の入光部側の辺及び導光板の入光部側の辺以外の少なくとも１辺の各々に位置する係合部と、それらの各辺に対応する保持部材の係合部との一体性が増し、それらの結合力の向上を図ることができる。よって、この照明装置に対し落下などによる衝撃が加わった場合に、導光板の入光部側の辺に位置する導光板の部分と、導光板の入光部側の辺に対応する保持部材の部分とを同一の方向に一体的に移動させることができると共に、導光板の入光部側の辺以外の少なくとも１辺に位置する導光板の部分と、導光板の入光部側の辺以外の少なくとも１辺に対応する保持部材の部分とを同一の方向に一体的に移動させることができる。
【００１８】
上記の照明装置の他の態様では、前記導光板の前記入光部に対面する位置には少なくとも１つの光源が配置されており、前記導光板の前記係合部と前記保持部材の前記係合部との各々は、前記少なくとも１つの光源より出射される光の出射範囲外に設けられている。これにより、少なくとも１つの光源より発光された光が、導光板の係合部及び保持部材の係合部によって遮光されることを防止でき、その結果、少なくとも１つの光源から導光板内に導入される光の量が低減することを防止できる。
【００１９】
上記の照明装置の他の態様では、前記導光板の前記入光部は、前記導光板の外形辺の延在方向に適宜の間隔をおいて設けられており、前記導光板の前記入光部の各々に対面する位置には光源が各々配置されており、前記光源の各々の両側に対応する位置には、前記光源の各々より出射される光の出射範囲外の領域が各々形成されており、前記導光板の前記係合部と前記保持部材の前記係合部との各々は、複数の前記出射範囲外の領域のうち少なくとも１つの領域に設けられている。これにより、各光源より発光された光が、導光板の各係合部及び保持部材の各係合部によって遮光されることを防止でき、その結果、各光源から導光板内に導入される光の量が低減することを防止できる。また、これに加え、導光板の各係合部と保持部材の各係合部が複数の出射範囲外の領域のうち全ての領域に設けられている構成であれば、導光板の各係合部と保持部材の各係合部が複数の出射範囲外の領域のうちいずれかの領域に設けられている構成と比較して、より一層、導光板の入光部側と保持部材との結合力の向上を図ることができる。
【００２０】
上記の照明装置の他の態様では、前記保持部材の前記係合部の近傍には開口が形成されており、前記導光板の前記係合部の一部は前記保持部材の前記開口に入り込んでおり、相互に係り合う前記導光板の前記係合部及び前記保持部材の前記係合部における厚さは、前記導光板の厚さと前記保持部材の厚さとを合わせた厚さと略同一である。これにより、照明装置の厚さが厚くなることを防止できる。よって、かかる照明装置を上記の電気光学装置に適用すれば、その電気光学装置の薄型化に貢献し得る。
【００２１】
上記の照明装置の他の態様では、前記保持部材は金属素材にて形成されている。これにより、保持部材の剛性を向上させることができる。よって、照明装置に対し衝撃が加わった場合に、導光板の入光部側と、導光板の入光部側に対応する保持部材の箇所とが同一の方向に一体的に移動する際の移動量を小さくすることができる。よって、かかる照明装置を上記の電気光学装置に適用すれば、一方の基板に対して撓ませるような応力が作用し難くなり、一方の基板に対して割れ、ひび、欠けなどが生じることを抑制できる。
【００２２】
本発明の他の観点では、電気光学装置は、上記の照明装置と、その照明装置と対面する位置に配置された電気光学パネルと、を備え、前記導光板は前記電気光学パネルに取り付けられている。これによれば、電気光学装置に対し落下などによる衝撃が加わった場合、導光板の入光部側と、導光板の入光部側に対応する保持部材の箇所と、電気光学パネルの部分とを同一の方向に一体的に移動させることができる。その結果、電気光学パネルと導光板とが衝突し合うことを抑制することができるので、電気光学パネルに対し割れ、ひび、欠けなどが生じることを抑制できる。
【００２３】
上記の電気光学装置の一つの態様では、前記電気光学パネルは一対の基板間に電気光学物質を挟持してなり、前記一対の基板のうち一方の基板は、他方の基板の一端から外側に張り出しており、前記導光板の前記係合部と前記保持部材の前記係合部との各々は、前記一方の基板と前記他方の基板との境界部分と重なる領域に配置されている。これにより、電気光学装置の当該境界部分の強度向上を図ることができる。よって、電気光学装置に対し落下などによる衝撃が加わった場合に、当該境界部分において、一方の基板と導光板と保持部材とを同一の方向に一体的に移動させることができる。よって、当該境界部分に位置する一方の基板の部分に対して、割れ、ひび、欠けなどが生じるのを抑制することができる。
【００２４】
上記の電気光学装置の他の態様では、前記電気光学パネルは一対の基板間に電気光学物質を挟持してなり、前記一対の基板のうち一方の基板は、他方の基板の一端から外側に張り出す張り出し領域を有すると共に、前記張り出し領域の上には、前記電気光学物質を駆動する駆動回路が実装されており、前記導光板の前記係合部と前記保持部材の前記係合部との各々は、前記駆動回路と重なる領域に配置されている。これにより、駆動回路（例えば、ドライバＩＣ）と重なる領域に位置する電気光学装置の強度向上を図ることができる。よって、電気光学装置に衝撃が加わった場合に、駆動回路と重なる領域において、一方の基板と導光板と保持部材とを同一の方向に一体的に移動させることができる。これにより、駆動回路に対して撓ませるような応力が作用することを抑制できるので、駆動回路に対して割れ、ひび、欠けなどが生じるのを抑制することができる。
【００２５】
本発明の更に他の観点では、上記の電気光学装置を表示部として備える電子機器を構成することができる。
【発明を実施するための最良の形態】
【００２６】
以下、図面を参照して本発明を実施するための最良の形態について説明する。
【００２７】
[第１実施形態]
（液晶装置の構成）
以下、図１乃至図３を参照して、本発明の第１実施形態に係る電気光学装置の一例としての液晶装置１００の構成について説明する。
【００２８】
図１は、観察側から見た液晶装置１００の斜視図を示す。図２は、液晶装置１００の分解斜視図を示す。図３は、図１の切断線Ａ−Ａ’に沿った液晶装置１００の断面図であり、特に、光源８を通る位置で切断した液晶装置１００の断面構成を示す。なお、図１乃至図３において、液晶表示パネル５０における二点鎖線にて示す領域は、文字、図形などの画像が表示される有効表示領域Ｖ１である。また、図２では、便宜上、図３に示す遮光テープ１５の図示を省略している。
【００２９】
液晶装置１００は、主に、第１の保持部材１１と、電気光学パネルの一例としての液晶表示パネル５０と、第２の保持部材１２を有する照明装置５１と、を備える。
【００３０】
第１の保持部材１１は、第２の保持部材１２に対する蓋体としての機能を有し、第２の保持部材１２と共に導光板９及び液晶表示パネル５０を夫々収容する役割を果たす。第１の保持部材１１は、液晶表示パネル５０の有効表示領域Ｖ１に対応する位置に設けられ、当該有効表示領域Ｖ１と略同一の大きさを有する開口１１ａを備えている。
【００３１】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に電気光学物質の一例としての液晶層４を挟持してなる。液晶表示パネル５０の液晶層４側の内面上には、例えば、ブラックマトリクス、カラーフィルタ、電極その他の多くの構成要素がマトリクス状（格子状）又はストライプ状（線状）に形成されるが、図１乃至図３では図示を省略している。また、第１の基板１は、第２の基板２の一端から外側へ張り出す張り出し領域１ｈを有する。張り出し領域１ｈの第２の基板２側の面上には、液晶を駆動するためのドライバＩＣ（駆動回路）５及びＦＰＣ（Flexible Printed Circuit）６が夫々実装されている。ＦＰＣ６の一端側は、張り出し領域１ｈ上に実装されている一方、ＦＰＣ６の他端側は、張り出し領域１ｈの第２の基板２側とは逆側に折り返され、さらに光を遮光する遮光テープ（遮光性を有する両面テープ）１５を通じて第１の基板１に接合されている。ＦＰＣ６の他端側の面上には、例えばＬＥＤ（Light Emitting Diode）などの、複数の光源８が適宜の間隔をおいて配置されている。なお、本発明では、液晶表示パネル５０は、特定の構成に限定されず、周知の種々の構成を採り得る。
【００３２】
照明装置５１は、第２の保持部材１２と、導光板９と、を有する。
【００３３】
第２の保持部材１２は、例えば金属素材にて形成され、導光板９を収容する箱状の形状を有する。その他、第２の保持部材１２の詳細な構成については後述する。
【００３４】
導光板９は、例えば略矩形状の平面形状を有する。導光板９は、例えば透明樹脂などの透光性素材にて形成され、第２の保持部材１２の上に重ねて配置される。導光板９の第２の保持部材１２側とは逆側の面の各外辺付近は、第１の基板１の第２の基板２側とは逆側の面に対し枠状の遮光テープ１５を介して取り付けられている。また、導光板９の外端面９ａ側には、その外端面９ａから内側に窪む凹部９ｂが複数形成されている。各凹部９ａには各光源８が配置され、各光源８と対面する各凹部９ａの面は各光源８より発光された光Ｌを導光板９の内部へ導入するための入光部として機能する。そこで、以下では、各光源８と対面する各凹部９ａの面を「入光部９ｂａ」と称する。その他、導光板９の詳細な構成については後述する。
【００３５】
なお、上記の照明装置５１では、プリズムシート、拡散シート及び反射シートなどの各種の光学シートが設けられていないが、本発明では、これに限定されず、照明装置５１に対して各種の光学シートを設けることとしても良い。
【００３６】
以上の構成を有する液晶装置１００では、ＦＰＣ６側から供給される駆動電流によって各光源８が発光し、その発光した光Ｌが、導光板９の入光部９ｂａを通じて導光板９の内部へ入射する。導光板９の内部に入射した光Ｌは、導光板９の下面９ｄと上面（出光面）９ｕとの間で反射を繰り返し、その出光面９ｕと光Ｌのなす角が臨界角を超えると、光Ｌは、当該出光面９ｕを透過して液晶表示パネル５０側へ出光する。そして、その出光された光Ｌが液晶表示パネル５０を透過する際に液晶層４内の液晶分子の配向が制御され、所望の表示画像が観察者によって視認される。
【００３７】
次に、本発明の第１実施形態に係る第２の保持部材１２に対する導光板９の取付構造について説明する。なお、以下では、まず、導光板９の構成について詳述し、続いて、第２の保持部材１２の構成について詳述し、その後、第２の保持部材１２に対する導光板９の取付構造について説明する。
【００３８】
（導光板の構成）
まず、図４（ａ）及び（ｃ）を参照して、導光板９の構成について詳述する。
【００３９】
図４（ａ）は、図３の観察側から見た導光板９の平面図を示す。なお、図４（ａ）では、導光板９の各入光部９ｂａと各光源８との相対的な位置関係についても分かるように、各光源８を図示することにしている。図４（ａ）において、各光源８から導光板９内に向けて斜めに延びる破線は、各光源８から導光板９に向けて放射状に発光される光Ｌの外縁部分を示す。図４（ｃ）は、図４（ａ）の切断線Ｂ−Ｂ’に沿った導光板９の要部断面図であり、特に、導光板９の係合部９ｃの断面構成を示す。
【００４０】
導光板９の基本的な構成は上述した通りである。特に、導光板９の入光部９ｂａ側又は外端面９ａ側には、後述する第２の保持部材１２の係合部１２ｃと係り合う係合部９ｃが設けられている。本例では、導光板９の係合部９ｃは、第２の保持部材１２の係合部１２ｃと嵌り合う嵌合部として構成されている。導光板９の係合部９ｃは、第２の保持部材１２の係合部１２ｃと係合することで、第２の保持部材１２に対する、導光板９の厚さ方向及び当該厚さ方向と直交する方向（即ち導光板９の平面方向）における当該導光板９の移動を規制する形状を有する。本例では、導光板９の係合部９ｃは、導光板９の出光面９ｕから下面９ｄにかけて段差をなす段差形状又は階段形状を有する。また、導光板９の係合部９ｃは複数設けられ、各係合部９ｃは、各入光部９ｂａの両側であって、且つ各光源８より出射される光の出射範囲外の領域Ａ１〜Ａ６に対応する位置に設けられている。
【００４１】
（第２の保持部材の構成）
次に、図４（ｂ）及び（ｄ）を参照して、第２の保持部材１２の構成について詳述する。
【００４２】
図４（ｂ）は、図３の観察側から見た第２の保持部材１２の平面図を示す。図４（ｄ）は、図４（ｂ）の切断線Ｃ−Ｃ’に沿った第２の保持部材１２の要部断面図であり、特に、第２の保持部材１２の係合部１２ｃの断面構成を示す。
【００４３】
第２の保持部材１２の基本的な構成は上述した通りである。特に、第２の保持部材１２は、その一端（外端面）１２ａ側の近傍に設けられ、導光板９の係合部９ｃと係り合う係合部１２ｃを有する。本例では、第２の保持部材１２の係合部１２ｃは、導光板９の係合部９ｃと嵌り合う嵌合部として構成されている。第２の保持部材１２の各係合部１２ｃは、例えば段差形状又は階段形状を有する導光板９の各係合部９ｃと係合する鉤形状又は爪形状を有する。また、第２の保持部材１２の各係合部１２ｃの近傍には、導光板９の各係合部９ｃの一部が入り込む開口１２ｂが形成されている。
【００４４】
（第２の保持部材に対する導光板の取付構造）
次に、図２、図５及び図６（ａ）を参照して、第２の保持部材１２に対する導光板９の取付構造について説明する。
【００４５】
図５（ａ）は、第１実施形態に係る第２の保持部材１２に対する導光板９の取付構造の要部平面図を示す。図５（ｂ）は、図５（ａ）の切断線Ｄ−Ｄ’に沿った導光板９及び第２の保持部材１２の要部断面図であり、特に、導光板９の係合部９ｃと第２の保持部材１２の係合部１２ｃの係合構造を示す。図６（ａ）は、相互に係り合う導光板９の係合部９ｃ及び第２の保持部材１２の係合部１２ｃを通る位置で切断した液晶装置１００の断面図を示す。
【００４６】
第１実施形態では、導光板９は遮光テープ１５を通じて第２の保持部材１２の上に重ねて取り付けられ、導光板９の各係合部９ｃと第２の保持部材１２の各係合部１２ｃとが、導光板９の入光部９ｂａ側において係合、係着又は嵌合している。
【００４７】
これにより、導光板９の入光部９ｂａ側と、導光板９の入光部９ｂａ側に位置する第２の保持部材１２の部分（箇所）との一体性が増し、それらの結合力の向上を図ることができる。よって、この液晶装置１００に対し落下などによる衝撃が加わった場合、導光板９の入光部９ｂａ側と、導光板９の入光部９ｂａ側に位置する第２の保持部材１２の部分と、導光板９の入光部９ｂａ側に位置する第１の基板１の部分とを同一の方向に一体的に移動させることができる。これにより、第１の基板１と導光板９とが衝突し合うことを抑制することができる。その結果、第１の基板１に対して割れ、ひび、欠けなどが生じることを抑制できる。
【００４８】
また、第１実施形態では、導光板９の各係合部９ｃ及び第２の保持部材１２の各係合部１２ｃは、導光板９の厚さ方向における導光板９の移動を規制する形状を有する。これにより、この液晶装置１００に対し落下などによる衝撃が加わった場合に、導光板９の入光部９ｂａと、導光板９の入光部９ｂａに位置する第２の保持部材１２の部分とが同一の方向に一体的に移動する際の移動量を小さくすることができる。これにより、第１の基板１に対して撓ませるような応力が作用し難くなり、第１の基板１に対して割れ、ひび、欠けなどが生じることを抑制できる。
【００４９】
また、第１実施形態では、導光板９の各係合部９ｃ及び第２の保持部材１２の各係合部１２ｃは、導光板９の厚さ方向と直交する、当該導光板９の平面方向の移動を規制する形状を有する。具体的には、図５（ａ）に示すように、導光板９及び第２の保持部材１２の中心線Ｌ１（導光板９の入光部９ｂａを二等分する線）に対して、導光板９の各係合部９ｃ及び第２の保持部材１２の各係合部１２ｃは左右対称の形状を有する。例えば、導光板９の領域Ａ１〜Ａ３では、光源８の両側に形成された導光板９の突起部の右側に係合部９ｃが形成されている一方、導光板９の領域Ａ４〜Ａ６では導光板９の突起部の左側に係合部９ｃが形成されている。
【００５０】
これによって、第２の保持部材１２の係合部１２ｃは、図２等を参照して分かるように、光源８の配列方向における導光板９の係合部９ｃの側壁と当接することになるので、第２の保持部材１２に対する導光板９の、入光部９ｂａの辺に沿う方向（図５（ａ）の紙面左右方向）の動きが規制される。また、導光板９の各係合部９ｃの一部は、図５（ｂ）に示すように、第２の保持部材１２の各開口１２ｂに入り込んでいるため、第２の保持部材１２に対する導光板９の、入光部９ｂａ側とそれに対向する辺側の方向（図５（ａ）の紙面上下方向）の動きが規制される。これにより、この液晶装置１００に対し落下などによる衝撃が加わった場合に、第２の保持部材１２に対して、導光板９の厚さ方向と直交する、当該導光板９の平面方向の移動をも規制することができる。
【００５１】
なお、第１実施形態では、導光板９の係合部９ｃ及び第２の保持部材１２の係合部１２ｃを複数設けることとしているが、これに限定されず、本発明では、導光板９の係合部９ｃ及び第２の保持部材１２の係合部１２ｃを１つだけ設けても、第２の保持部材１２に対する、導光板９の厚さ方向及び当該厚さ方向と直交する方向（即ち導光板９の平面方向）における当該導光板９の移動を規制することが可能である。例えば、ここで、図５（ａ）において、領域Ａ３に位置する導光板９の突起部に、当該突起部の大きさより若干小さい係合部（導光板９の係合部９ｃ及び第２の保持部材１２の係合部１２ｃであり、図５（ａ）の破線領域Ｅ１に相当）を１つだけ設けた構成を想定する。
【００５２】
この構成において、導光板９の係合部９ｃと第２の保持部材１２の係合部１２ｃが係合し又は嵌合した場合に、第２の保持部材１２に対する、導光板９の厚さ方向への移動を規制できるのは勿論のこと、第２の保持部材１２の係合部１２ｃは、光源８の配列方向における導光板９の係合部９ｃの側壁と当接することになるので、第２の保持部材１２に対する導光板９の、入光部９ｂａの辺に沿う方向（図５（ａ）の紙面左右方向）の動きをも規制することができる。また、この構成の下でも、図５（ｂ）に示すように、破線領域Ｅ１に位置する導光板９の係合部９ｃの一部は、破線領域Ｅ１に位置する第２の保持部材１２の各開口１２ｂに入り込むため、第２の保持部材１２に対する導光板９の、入光部９ｂａ側とそれに対向する辺側の方向（図５（ａ）の紙面上下方向）の移動も規制される。
【００５３】
また、第１実施形態では、導光板９の入光部９ｂａは、外端面（外形辺）９ａの延在方向に適宜の間隔をおいて設けられていると共に、導光板９の各入光部９ｂａに対面する位置には光源８が配置されており、各光源８の両側に対応する位置には、各光源より出射される光の出射範囲外の領域Ａ１〜Ａ６が形成されており、導光板９の各係合部９ｃ及び第２の保持部材１２の各係合部１２ｃは、当該領域Ａ１〜Ａ６の各々に対応して設けられている。これにより、各光源８から発光された光Ｌが、導光板９の各係合部９ｃ及び第２の保持部材１２の各係合部１２ｃによって遮光されることを防止でき、その結果、各光源８から導光板９内に導入される光Ｌの量が低減することを防止できる。また、これに加え、導光板９の各係合部９ｃ及び第２の保持部材１２の各係合部１２ｃは、当該領域Ａ１〜Ａ６の全ての領域に設けられているので、各係合部９ｃ及び各係合部１２ｃが当該領域Ａ１〜Ａ６のうちいずれかの領域に設けられている構成と比較して、より一層、導光板９の入光部９ｂａ側と第２の保持部材１２との結合力の向上を図ることができる。但し、これに限定されず、本発明では、導光板９の各係合部９ｃ及び第２の保持部材１２の各係合部１２ｃは、当該領域Ａ１〜Ａ６のうち少なくとも１つの領域に設けられていればよい。
【００５４】
また、第１実施形態では、導光板９の各係合部９ｃの一部は第２の保持部材１２の各開口１２ｂに入り込んでおり、相互に係り合う導光板９の各係合部９ｃ及び第２の保持部材１２の各係合部１２ｃにおける厚さｄ３は、図５（ｂ）に示すように、導光板９の厚さｄ１と第２の保持部材１２の厚さｄ２とを合わせた厚さと略同一である。これにより、照明装置５１の厚さが厚くなることを防止でき、液晶装置１００の薄型化に貢献し得る。
【００５５】
また、第１実施形態では、第２の保持部材１２は金属素材にて形成されている。これにより、第２の保持部材１２の剛性を向上させることができる。よって、液晶装置１００に対し衝撃が加わった場合に、導光板９の入光部９ｂａ側と、導光板９の入光部９ｂａ側に位置する第２の保持部材１２の部分と、導光板９の入光部９ｂａ側に位置する第１の基板１の部分とが同一の方向に一体的に移動する際の移動量を小さくすることができる。その結果、第１の基板１に対して撓ませるような応力が作用し難くなり、第１の基板１に対して割れ、ひび、欠けなどを生じることを抑制できる。
【００５６】
また、第１実施形態では、導光板９の各係合部９ｃ及び第２の保持部材１２の各係合部１２ｃの位置を液晶表示パネル５０の所定の位置に配置することとしている。このため、以下に想定する比較例と比較して、次のような有利な効果を得ることができる。
【００５７】
即ち、比較例として、第１の基板と第２の基板との間に液晶層を挟持してなり、さらに第１の基板が第２の基板の一端から外側に張り出す張り出し領域を有する液晶表示パネルを想定する。このような構成を有する液晶表示パネルに対し落下などによる衝撃が加わった場合、第１の基板と第２の基板との境界部分を基点として、第１の基板が観察側及び観察側と逆側へと撓み、これに起因してその境界部分にひび、割れ、欠けなどが生じる虞がある。
【００５８】
これに対して、第１実施形態では、導光板９の各係合部９ｃ及び第２の保持部材１２の各係合部１２ｃを、衝撃時に最も割れなどが生じ易い、第１の基板１と第２の基板２との境界部分（図６（ａ）の破線領域Ａ３０に相当する部分）と重なる領域に配置することにしている。これにより、液晶装置１００の境界部分Ａ３０の強度向上を図ることができる。よって、液晶装置１００に対し落下などによる衝撃が加わった場合に、当該境界部分Ａ３０において、第１の基板１と導光板９と第２の保持部材１２とを同一の方向に一体的に移動させることができる。その結果、当該境界部分Ａ３０に位置する第１の基板１の部分に対して割れ、ひび、欠けなどが生じるのを抑制することができる。
【００５９】
[第２実施形態]
次に、図６（ｂ）を参照して、本発明の第２実施形態に係る液晶装置２００における、第２の保持部材１２ｘに対する導光板９ｘの取付構造について説明する。なお、以下では、第１実施形態と同一の要素については同一の符号を付し、その説明は適宜省略する。
【００６０】
図６（ｂ）は、相互に係り合う導光板９ｘの係合部９ｃ及び第２の保持部材１２ｘの係合部１２ｃを通る位置で切断した液晶装置２００の断面図を示す。
【００６１】
第１実施形態と第２実施形態とを比較した場合、第１実施形態では、照明装置５０において導光板９の各係合部９ｃ及び第２の保持部材１２の各係合部１２ｃは、第１の基板１と第２の基板２との境界部分Ａ３０と重なる領域に配置されていたのに対して、第２実施形態では、照明装置５１ｘにおいて導光板９ｘの各係合部９ｃ及び第２の保持部材１２ｘの各係合部１２ｃが、駆動回路の一例としてのドライバＩＣ５と重なる領域（図６（ｂ）の破線領域Ａ３１に相当する部分）に配置されており、両者はこの点が構成上異なり、それ以外は同様である。
【００６２】
これにより、ドライバＩＣ５と重なる領域Ａ２に位置する液晶装置２００の強度向上を図ることができる。よって、液晶装置２００に衝撃が加わった場合に、ドライバＩＣ５と重なる領域Ａ３１において、第１の基板１と導光板９ｘと第２の保持部材１２ｘとを同一の方向に一体的に移動させることができる。これにより、ドライバＩＣ５に対し撓ませるような応力が作用することを抑制できるので、ドライバＩＣ５に対して割れ、ひび、欠けなどが生じるのを抑制することができる。
【００６３】
[変形例]
上記の第１及び第２実施形態に代えて、本発明では、導光板９の各係合部９ｃ及び第２の保持部材１２の各係合部１２ｃの各形状を大きくすることにより、当該導光板９の各係合部９ｃ及び第２の保持部材１２の各係合部１２ｃを、第１の基板１と第２の基板２との境界部分Ａ３０及びドライバＩＣ５と重なる領域Ａ３１と重なる領域に配置することとしてもよい。これにより、この変形例に係る液晶装置に対し落下などによる衝撃が加わった場合に、当該境界部分Ａ３０及び当該領域Ａ３１において、第１の基板１と導光板９と第２の保持部材１２とを同一の方向に一体的に移動させることができる。その結果、当該境界部分Ａ３０に位置する第１の基板１の部分及び当該領域Ａ３１に位置するドライバＩＣ５に対して割れ、ひび、欠けなどが生じるのを抑制することができる。
【００６４】
或いは、本発明では、導光板９の各係合部９ｃ及び第２の保持部材１２の各係合部１２ｃの各形状を第１及び第２実施形態と同一の大きさにしつつ、当該導光板９の各係合部９ｃ及び第２の保持部材１２の各係合部１２ｃのうち、少なくとも１つを第１の基板１と第２の基板２との境界部分Ａ３０と重なる領域に配置すると共に、他の少なくとも１つをドライバＩＣ５と重なる領域Ａ３１と重なる領域に配置することとしてもよい。これにより、上記した変形例と同様の作用効果を得ることができる。
【００６５】
また、上記の第１及び第２実施形態では、導光板９の各係合部９ｃと第２の保持部材１２の各係合部１２ｃとは、導光板９の入光部９ｂａ側の辺において係着、嵌合又は係合していた。これに限らず、本発明では、導光板９の各係合部９ｃと第２の保持部材１２の各係合部１２ｃとは、導光板９の入光部９ｂａ側の辺と導光板９の入光部９ｂａ側の辺以外の少なくとも１辺において係着、嵌合又は係合していてもよい。
【００６６】
これにより、導光板９の入光部９ｂａ側の辺及び導光板９の入光部９ｂａ側の辺以外の少なくとも１辺に位置する係合部９ｃと、その辺に対応する第２の保持部材１２の係合部１２ｃとの一体性が増し、それらの結合力の向上を図ることができる。よって、かかる照明装置に対し落下などによる衝撃が加わった場合に、導光板９の入光部９ｂａ側の辺に位置する導光板９の部分と、導光板９の入光部９ｂａ側の辺に対応する第２の保持部材１２の部分とを同一の方向に一体的に移動させることができると共に、導光板９の入光部９ｂａ側の辺以外の少なくとも１辺に位置する導光板９の部分と、導光板９の入光部９ｂａ側の辺以外の少なくとも１辺に対応する第２の保持部材１２の部分とを同一の方向に一体的に移動させることができる。
【００６７】
その他、本発明では、導光板９と第２の保持部材１２との各々は、少なくとも導光板９の入光部９ｂａ側で固定されている構成であれば、どのような構成（例えば係合、係着又は嵌合構造）を採用しても構わない。
【００６８】
[電子機器]
次に、上記の第１、第２実施形態又は変形例に係る液晶装置１００又は２００等（以下、代表して「液晶装置１０００」と称する）を備える電子機器の具体例について図７を参照して説明する。
【００６９】
まず、本発明に係る液晶装置１０００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００７０】
続いて、本発明に係る液晶装置１０００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００７１】
なお、本発明に係る液晶装置１０００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００７２】
【図１】本発明の第１実施形態に係る液晶装置の斜視図。
【図２】第１実施形態に係る液晶装置の分解斜視図。
【図３】図１の切断線Ａ−Ａ’に沿った液晶装置の断面図。
【図４】第１実施形態に係る導光板及び第２の保持部材の各平面図、並びに導光板及び第２の保持部材の各係合部付近の要部断面図。
【図５】第１実施形態に係る導光板の係合部及び第２の保持部材の係合部の係合構造を示す要部平面図及び要部断面図
【図６】第１又は第２実施形態に係る導光板及び第２の保持部材の各係合部と液晶表示パネルとの位置関係を示す断面図。
【図７】本発明の液晶装置を備える電子機器の斜視図。
【符号の説明】
【００７３】
１  第１の基板、  １ｈ  張り出し領域、  ２  第２の基板、  ５  ドライバＩＣ（駆動回路）、  ９  導光板、  ９ｂａ  入光部、  ９ｃ  係合部、  １２  第２の保持部材、  １２ｂ  開口、  １２ｃ  係合部、  ８  光源、  ５０  液晶表示パネル、  １００、２００、１０００  液晶装置
【図１】
2009193678.tif 000003
【図２】
2009193678.tif 000004
【図３】
2009193678.tif 000005
【図４】
2009193678.tif 000006
【図５】
2009193678.tif 000007
【図６】
2009193678.tif 000008
【図７】
2009193678.tif 000009